(57)【要約】      （修正有）【課題】操作が便利で、タンクを倒し難く、使用者の腰部の損傷を引き起さず、ほこり又は異物によるウォーターポンプの損傷を防止できる除湿器を提供する。【解決手段】除湿機は、本体及び主タンク２０を有する。主タンクは、本体の横方向に結合し、本体に対して上方に移動して本体と分離する。本体は、集水トレイ１２、副タンク１３、ウォーターポンプ１５、及び濾過部品１４を有する。集水トレイは、排水口を有する。副タンクは、集水トレイの下方に設けられ、排水口に対向する集水口１２１を有する。ウォーターポンプは、副タンクの水を主タンクに送り込む。濾過部品は、集水トレイの排水口と副タンクの集水口の間に設けられるフィルターを有する。副タンクとウォーターポンプを設けたことにより、主タンクを本体の横方向に設けて上方に引いて分離するように設計できる。【選択図】図５
0003228352.tif 000002
【実用新案登録請求の範囲】
【請求項１】
本体及び主タンクを有し、
前記本体は、凝縮器、集水トレイ、副タンク、濾過部品、及びウォーターポンプを有し、
前記集水トレイは、前記凝縮器の真下に設けられ、排水口を有し、
前記副タンクは、前記集水トレイの下方に設けられ、互いに連通する集水口及び空間を有し、
前記集水口は、前記集水トレイの前記排水口に対向し、
前記濾過部品は、フィルターを有し、
前記フィルターは、前記集水トレイの前記排水口と前記副タンクの前記集水口の間に設けられ、前記排水口に対向し、前記排水口より大きい面積を有し、
前記ウォーターポンプは、吸水ポート及び排水ポートを有し、
前記吸水ポートは、前記副タンクの前記空間に連通し、
前記主タンクは、前記本体に分離可能に結合して前記本体の横方向に位置し、前記本体に対して上方に移動して前記本体と分離するように構成され、集水空間を有し、
前記主タンクと前記本体とを結合する場合、前記本体の前記ウォーターポンプの前記排水ポートは、前記集水空間に連通することを特徴とする、
副タンク濾過部品を有する除湿機。
【請求項２】
前記濾過部品は、フレームを更に有し、
前記フレームは、前記集水トレイの前記排水口と前記副タンクの前記集水口の間に分離可能に設けられ、
前記フィルターは、前記フレームに分離可能に設けられることを特徴とする、
請求項１に記載の副タンク濾過部品を有する除湿機。
【請求項３】
前記濾過部品は、固定部を更に有し、
前記固定部は、前記フレームに分離可能に結合し、前記フレームとの間に前記フィルターを挟むことを特徴とする、
請求項２に記載の副タンク濾過部品を有する除湿機。
【請求項４】
前記本体は、ケーシングを更に有し、
前記ケーシングは、内部空間及び開孔部を有し、
前記凝縮器、前記集水トレイ、前記副タンク、及び前記ウォーターポンプは、前記内部空間に位置し、
前記開孔部は、前記ケーシングの横方向に形成され、前記内部空間に連通し、
前記開孔部の位置は、前記集水トレイの前記排水口及び前記副タンクの前記集水口に対応し、
前記濾過部品の前記フレームは、前記開孔部に分離可能に装着されることを特徴とする、
請求項２に記載の副タンク濾過部品を有する除湿機。
【請求項５】
前記濾過部品の前記フレームは、リング取手及び枠本体を有し、
前記リング取手は、前記ケーシングの外部に位置し、
前記枠本体は、前記リング取手に接続され、前記ケーシングの前記内部空間に位置し、前記集水トレイの前記排水口と前記副タンクの前記集水口の間に選択的に設けられ、
前記フィルターは、前記枠本体に分離可能に設けられることを特徴とする、
請求項４に記載の副タンク濾過部品を有する除湿機。
【請求項６】
前記濾過部品の前記フレームは、係合板バネを有し、
前記係合板バネは、前記開孔部の周縁に分離可能に係合されることを特徴とする、
請求項４に記載の副タンク濾過部品を有する除湿機。
【請求項７】
前記本体は、ケーシング及び受容用環状壁部を更に有し、
前記ケーシングは、外表面を有し、
前記受容用環状壁部は、前記ケーシングに接続され、前記ケーシングの横方向に位置し、前記ケーシングの外表面と共にタンク空間を囲んで形成し、
前記主タンクは、上方に分離可能に前記タンク空間内に設けられることを特徴とする、
請求項１〜３のいずれか１項に記載の副タンク濾過部品を有する除湿機。
【請求項８】
前記本体は、受容用環状壁部を更に有し、
前記受容用環状壁部は、前記ケーシングに接続され、前記ケーシングの横方向に位置し、前記ケーシングの外表面と共にタンク空間を囲んで形成し、
前記主タンクは、上方に分離可能に前記タンク空間内に設けられることを特徴とする、
請求項４〜６のいずれか１項に記載の副タンク濾過部品を有する除湿機。
【考案の詳細な説明】
【技術分野】
【０００１】
本考案は、家電製品、特に除湿機に関する。
【背景技術】
【０００２】
以下、除湿機の基本的な動作原理を説明する。ファンによって環境中の空気を機械内に吸い込み、熱交換器を通って、空気中の水分を凝結して、水滴として落ちて集中し、ウォーターポンプによってタンクに送り込む。その同時に、空気は乾燥した熱空気として機械外に排出される。そのような循環をすると、室内の湿度を低下させる。
【０００３】
従来の除湿機において、タンクは、通常、除湿機全体の底部且つ床に近い所に位置し、本体に対して横方向に分離することしかできない。従って、タンクが満水になると、使用者が腰を屈めてタンクを横方向に取り出した後、タンクを持ち上げて水を捨てなければならない。
【０００４】
しかしながら、満水のタンクが一定の重量を有するため、そのような構造は、操作が不便で、重いため倒しやすく、使用者の腰部の損傷を引き起こしやすい。また、一般的には、除湿機に吸い込まれた空気がほこり及び異物を含むため、空気中の水分が凝縮器で凝結した後、ほこり及び異物を含む可能性が高い。更に、その後にウォーターポンプを運転する際に詰まりとなり、ウォーターポンプの損傷になる。
【考案の概要】
【考案が解決しようとする課題】
【０００５】
前記先行技術の欠点及び不足を鑑みて、本考案は、副タンク濾過部品を有する除湿機を提供する。タンクは、本体の横方向に設けられ、そのまま上方に引いて本体と分離できる。また、除湿機は、濾過部品を更に有するため、ほこり又は異物によるウォーターポンプの損傷を防止できる。
【課題を解決するための手段】
【０００６】
上記目的を達成するために、本考案の副タンク濾過部品を有する除湿機は、本体及び主タンクを有する。前記本体は、凝縮器、集水トレイ、副タンク、濾過部品、及びウォーターポンプを有する。前記集水トレイは、前記凝縮器の真下に設けられ、排水口を有する。前記副タンクは、前記集水トレイの下方に設けられ、互いに連通する集水口及び空間を有する。前記集水口は、前記集水トレイの前記排水口に対向する。前記濾過部品は、フィルターを有する。前記フィルターは、前記集水トレイの前記排水口と前記副タンクの前記集水口の間に設けられ、前記排水口に対向し、前記排水口より大きい面積を有する。前記ウォーターポンプは、吸水ポート及び排水ポートを有する。前記吸水ポートは、前記副タンクの前記空間に連通する。前記主タンクは、前記本体に分離可能に結合して前記本体の横方向に位置し、前記本体に対して上方に移動して前記本体と分離するように構成され、集水空間を有する。前記主タンクと前記本体とを結合する場合、前記本体の前記ウォーターポンプの前記排水ポートは、前記集水空間に連通する。
【考案の効果】
【０００７】
本考案の利点としては、副タンクを集水トレイの下方に設けることで、下に落ちた水滴を副タンクによって一時的に貯蔵し、吸水ポートと副タンクを連通し、排水ポートと主タンクの集水空間を連通し、ウォーターポンプによって副タンクに一時貯蔵した水を主タンクの集水空間に送り込む。それによって、主タンクは、重力によって除湿機の底部に設置しなければならないという制限がなく、本体の横方向に設けられ、上方に引いて本体と分離できるように設計できる。このようにすると、操作が便利で、タンクを倒し難く、使用者の腰部の損傷を引き起さない。
【０００８】
なお、集水トレイの排水口と副タンクの集水口の間に濾過部品を設けて、フィルターを排水口に対向し、フィルターの面積を排水口の面積より大きいようにすれば、排水口から流出した水は、必ずフィルターを通ってから副タンクに流れ込む。それによって、空気中のほこり又は異物が凝結した水滴と共に副タンクに流れ込むことを防止できる。更に、ウォーターポンプがほこり又は異物を含む水を吸引することによる詰まり、損壊を避ける。
【図面の簡単な説明】
【０００９】
【図１】本考案の立体外観図である。
【図２】本考案の主タンク及び本体の分解図である。
【図３】本考案の濾過部品及び本体の分解図である。
【図４】本考案の本体内部の立体外観図である。
【図５】本考案の本体内部の分解図である。
【図６】本考案の本体内部の他の分解図である。
【図７】本考案の濾過部品の分解図である。
【図８】本考案の側面断面図である。
【考案を実施するための形態】
【００１０】
以下、図面及び本考案の実施例を開示しながら本考案の目的及び技術的な手段を詳しく説明する。
【００１１】
図１及び図２を参照しながら説明する。本考案の副タンク濾過部品を有する除湿機は、本体１０及び主タンク２０を有する。
【００１２】
図２、図３、及び図４を参照しながら説明する。本体１０は、凝縮器１１、集水トレイ１２、副タンク１３、濾過部品１４、ウォーターポンプ１５、ケーシング１６、及び受容用環状壁部１７を有する。
【００１３】
図５及び図８を参照しながら説明する。集水トレイ１２は、凝縮器１１の真下に設けられ、排水口１２１を有する。
【００１４】
図６を参照しながら説明する。副タンク１３は、集水トレイ１２の下方に設けられ、互いに連通する集水口１３１及び空間１３２を有する。集水口１３１は、集水トレイ１２の排水口１２１に対向する。
【００１５】
図７を参照しながら説明する。濾過部品１４は、フィルター１４１を有する。フィルター１４１は、集水トレイ１２の排水口１２１と副タンク１３の集水口１３１の間に設けられ、排水口１２１に対向し、排水口１２１より大きい面積を有する。
【００１６】
ウォーターポンプ１５は、吸水ポート１５１及び排水ポート１５２を有する。吸水ポート１５１は、副タンク１３の空間１３２に連通する。
【００１７】
図３及び図８を参照しながら説明する。ケーシング１６は、外表面、内部空間、及び開孔部１６１を有する。凝縮器１１、集水トレイ１２、副タンク１３、及びウォーターポンプ１５は、内部空間に位置する。開孔部１６１は、ケーシング１６の横方向に形成され、内部空間に連通する。また、開孔部１６１の位置は、集水トレイ１２の排水口１２１及び副タンク１３の集水口１３１に対応する。濾過部品１４のフレーム１４２は、開孔部１６１に分離可能に装着される。
【００１８】
図１及び図２を参照しながら説明する。受容用環状壁部１７は、ケーシング１６に接続され、ケーシング１６の横方向に位置する。受容用環状壁部１７とケーシング１６の外表面によってタンク空間１７１を囲んで形成する。
【００１９】
主タンク２０は、本体１０に分離可能に結合して本体１０の横方向に位置し、本体１０に対して上方に移動して本体１０と分離するように構成される。具体的には、本実施例において、主タンク２０は、上方に分離可能にタンク空間１７１に設けられるが、それらに限定されない。他の実施例において、受容用環状壁部１７及びタンク空間１７１を設けなく、主タンク２０をその他の係合構造によって本体１０の横方向に分離可能に設けてもよい。主タンク２０は、集水空間を有する。主タンク２０と本体１０を結合する場合、本体１０のウォーターポンプ１５の排水ポート１５２は、集水空間に連通する。
【００２０】
図７及び図８を参照しながら説明する。具体的には、本実施例において、濾過部品１４は、フレーム１４２及び固定部１４３を有する。本実施例において、フィルター１４１は、フレーム１４２に分離可能に設けられる。
【００２１】
フレーム１４２は、集水トレイ１２の排水口１２１と副タンク１３の集水口１３１の間に分離可能に設けられ、リング取手１４２１、枠本体１４２２、及び係合板バネ１４２３を有する。
【００２２】
リング取手１４２１は、ケーシング１６外に位置する。
【００２３】
枠本体１４２２は、リング取手１４２１に接続され、ケーシング１６の内部空間に位置し、集水トレイ１２の排水口１２１と副タンク１３の集水口１３１の間に選択的に設けられる。フィルター１４１は、枠本体１４２２に分離可能に設けられる。
【００２４】
係合板バネ１４２３は、開孔部１６１の周縁に分離可能に係合され、フレーム１４２が運転の振動又は外力によって本体１０から外さないように、フレーム１４２をしっかり開孔部１６１に係合する。
【００２５】
固定部１４３は、フレーム１４２に分離可能に結合し、フレーム１４２との間にフィルター１４１を挟む。
【００２６】
上記濾過部品１４の構造及びケーシング１６の開孔部１６１によって、使用者は、ケーシング１６を外しなくても、開孔部１６１を通って、そのままケーシング１６外から濾過部品１４を取ってフィルター１４１を交換できる。
【００２７】
本考案の利点としては、副タンク１３を集水トレイ１２の下方に設けることで、副タンク１３によって下に落ちた水滴を一時的に貯蔵し、吸水ポート１５１と副タンク１３を連通し、排水ポート１５２と主タンク２０の集水空間を連通し、ウォーターポンプ１５によって副タンク１３に一時貯蔵した水を主タンク２０の集水空間に送り込む。それによって、主タンク２０は、重力によって除湿機の底部に設置しなければならないという制限がなく、本体１０の横方向に設けられ、上方に引いて本体１０と分離できるように設計できる。このようにすると、操作が便利で、タンクを倒し難く、使用者の腰部の損傷を引き起さない。
【００２８】
なお、集水トレイ１２の排水口と副タンク１３の集水口の間に濾過部品１４を設けて、フィルター１４１を排水口１２１に対向し、フィルター１４１の面積を排水口１２１の面積より大きいようにすれば、排水口１２１から流出した水は、必ずフィルター１４１を通ってから副タンク１３に流れ込む。それによって、空気中のほこり又は異物が凝結した水滴と共に副タンク１３に流れ込むことを防止できる。更に、ウォーターポンプ１５がほこり又は異物を含む水を吸引することによる詰まり、損壊を避ける。
【００２９】
上記内容は、あくまで本考案の実施例である。本考案は、上記内容によって制限されない。当業者は、本考案の精神及び技術範囲を逸脱しない限りにおいて、本考案の開示内容に基づいて均等的な変更及び改良を行うことができる。しかしながら、本考案の開示内容に基づいてなされる均等的な変更及び改良は、いずれも本考案の範囲に含まれる。
【符号の説明】
【００３０】
１０  本体
１１  凝縮器
１２  集水トレイ
１２１  排水口
１３  副タンク
１３１  集水口
１３２  空間
１４  濾過部品
１４１  フィルター
１４２  フレーム
１４２１  リング取手
１４２２  枠本体
１４２３  係合板バネ
１４３  固定部
１５  ウォーターポンプ
１５１  吸水ポート
１５２  排水ポート
１６  ケーシング
１６１  開孔部
１７  受容用環状壁部
１７１  タンク空間
２０  主タンク
【図１】
0003228352.tif 000003
【図２】
0003228352.tif 000004
【図３】
0003228352.tif 000005
【図４】
0003228352.tif 000006
【図５】
0003228352.tif 000007
【図６】
0003228352.tif 000008
【図７】
0003228352.tif 000009
【図８】
0003228352.tif 000010